(57)【要約】【課題】  複数の視聴者に応じて適切と思われるユーザー特定処理をすることができるテレビジョン受信装置を提供する。【解決手段】  視聴者の操作特性データを記憶する操作特性記憶部と、視聴している視聴者を検出する視聴者検出部と、前記視聴している視聴者の特性を、前記操作特性記憶部からの操作特性データから得る相関検出手段と、前記相関検出手段により検出された相関に応じて視聴者を評価し評価値を演算する視聴者評価部と、前記視聴者評価部により評価された評価値の高い視聴者を提示する提示手段とを備えたことを特徴とするテレビジョン受信装置。【選択図】      図５
2008277995.tif 000002
【特許請求の範囲】
【請求項１】
視聴者の操作特性データを記憶する操作特性記憶部と、
視聴している視聴者を検出する視聴者検出部と、
前記視聴している視聴者の特性を、前記操作特性記憶部からの操作特性データから得る相関検出手段と、
前記相関検出手段により検出された相関に応じて視聴者を評価し評価値を演算する視聴者評価部と、
前記視聴者評価部により評価された評価値の高い視聴者を提示する提示手段
とを備えたことを特徴とするテレビジョン受信装置。
【請求項２】
前記視聴者評価部は、相関毎に正規化された評価値を演算することを特徴とする請求項１記載のテレビジョン受信装置。
【請求項３】
視聴者の番組選好データを記憶する番組選好記憶部と、
視聴している視聴者を検出する視聴者検出部と、
前記視聴している視聴者の特性を、前記番組選好記憶部からの番組選好データから得る相関検出手段と、
前記相関検出手段により検出された相関に応じて視聴者を評価し評価値を演算する視聴者評価部と、
前記視聴者評価部により評価された評価値の高い視聴者を提示する提示手段
とを備えたことを特徴とするテレビジョン受信装置。
【請求項４】
前記視聴者評価部は、相関毎に割合化された評価値を演算することを特徴とする請求項３記載のテレビジョン受信装置。
【請求項５】
操作特性記憶部により、視聴者の操作特性を示す操作特性データを記憶し、
視聴者検出部により、視聴している視聴者を検出し、
相関検出手段により、前記視聴している視聴者の特性を、前記操作特性記憶部からの操作特性データから得、
視聴者評価部により、前記相関検出手段により検出された相関に応じて視聴者を評価し評価値を演算し、
前記視聴者評価部により評価された評価値の高い視聴者を提示することを特徴とするテレビジョン受信方法。
【請求項６】
番組選好記憶部により、視聴者の番組選好を示す番組選好データを記憶し、
視聴者検出部により、視聴している視聴者を検出し、
相関検出手段により、前記視聴している視聴者の番組選好を、前記番組選好記憶部からの番組選好データから得、
視聴者評価部により、前記相関検出手段により検出された相関に応じて視聴者を評価し評価値を演算し、
前記視聴者評価部により評価された評価値の高い視聴者を提示することを特徴とするテレビジョン受信方法。
【発明の詳細な説明】
【技術分野】
【０００１】
この発明は、テレビジョン受信装置および方法に係わり、特にテレビジョン視聴者の判定技術に関する。
【背景技術】
【０００２】
従来からの課題としてこれまでのテレビは番組を提供するのみであり、特定のユーザーに向けたサービスを提供することができなかった。視聴しているユーザーを特定することができれば、視聴者が興味を持っている旅行情報の雑誌の紹介、ホームページの紹介など、個人向けの情報を提供することができる。
【０００３】
しかし、そのためには現在視聴しているユーザーを特定する必要があった。ＴＶを視聴している人を特定し、視聴しているユーザーに向けたサービスを実現させることが望まれているものである。
【０００４】
これに対し、視聴者がID等を入力したりせずにテレビ側が指紋検出等で視聴者を識別し、それまでに蓄積した嗜好データに基づいたコンテンツ、CMなどを提供するものがあった。あるいは同様であるが、リモコンに指紋識別機能をもたせ、指紋によって視聴者を識別し、その視聴者の好みのチャンネルレイアウトを自動的にテレビ画面に表示させるというものがあった。しかしリモコン等に高度な指紋識別処理を行わせるという点で負荷が大きいという問題があった。
【０００５】
また、ノートPCで番組を視聴する場合であって、ログインのアカウントにより視聴者を特定し、それまでの視聴履歴から求めた番組視聴割合に基づき今後の視聴プログラムを作成表示するというものもあった。これも一方であるがＴＶの視聴者にはログインという操作がいま一つ馴染まないという側面があった。
【０００６】
また、視聴者認識装置により視聴者を特定すると、番組配信サーバは視聴者嗜好DBから得るその視聴者の嗜好傾向にあった番組欄、広告を提供するというものがある。これについては、カメラ等を用いた視聴者認識に依存するということにより確実性が低いという問題があた。
【０００７】
なお、特許文献１に開示されている技術は、リモコンのスイッチを複数のスイッチ素子から構成し、そのスイッチ素子の押され方で指の大きさを予想し、子供と大人等のユーザー識別を行ない、適正な機器（テレビ）の制御を行なうというものである。これも一つの方法であるが、他のユーザー特性として力を用いる等、ここで目的としている一般的にユーザーを特定することとは、方向性が異なるものである。
【特許文献１】特開２００６−１８６６７１号公報
【発明の開示】
【発明が解決しようとする課題】
【０００８】
このように従来のテレビジョン受信装置においては、一般的にユーザーを特定するという目的に応じて適切な処理をすることはできないという問題があった。
この発明は、複数の視聴者に応じて適切と思われるユーザー特定処理をすることができるテレビジョン受信装置を提供することを目的とする。
【課題を解決するための手段】
【０００９】
上記の目的を達成するために、この発明においては、視聴者の操作特性データを記憶する操作特性記憶部と、視聴している視聴者を検出する視聴者検出部と、前記視聴している視聴者の特性を、前記操作特性記憶部からの操作特性データから得る相関検出手段と、前記相関検出手段により検出された相関に応じて視聴者を評価し評価値を演算する視聴者評価部と、前記視聴者評価部により評価された評価値の高い視聴者を提示する提示手段とを備えたことを特徴とするテレビジョン受信装置を提供する。
【発明の効果】
【００１０】
この発明によれば、複数の視聴者に応じて適切と思われるユーザー特定処理をすることができるテレビジョン受信装置を提供することができる。
【発明を実施するための最良の形態】
【００１１】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１２】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えば液晶表示パネル等でなる平面パネル型の映像表示器１１４、スピーカ１１５、操作部１１６、リモートコントローラ１１７から送信される操作情報を受ける受光部１１８等が設置されている。
【００１３】
また、このデジタルテレビジョン放送受信装置１１１には、例えばＳＤ（Secure Digital）メモリカード、ＭＭＣ（Multimedia Card）等の第１のメモリカード１１９が着脱可能となっており、この第１のメモリカード１１９に対して番組や写真等の情報の記録再生が行なわれるようになっている。
【００１４】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１５】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１６】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１７】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１８】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００１９】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２０】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２１】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２２】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２３】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２４】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２５】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２６】
チューナ２４５ａは、制御部２６１からの制御信号により所望のチャンネルの放送信号を選局し、この選局された放送信号をＰＳＫ（Phase Shift Keying）復調器２４５ｂに出力する。
【００２７】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２８】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信
【００２９】
号処理部２４７内のＳＴＤバッファ２４７ｆへ出力する。
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３０】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３１】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３２】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３３】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３４】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３５】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部
【００３６】
２６１へ出力する。
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３７】
また、字幕放送による字幕を表示するとき、グラフィック処理部２５４は、制御部２６１からの制御による字幕情報に基づき、映像信号上に字幕情報を重畳する処理を行う。
【００３８】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００３９】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４０】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４１】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４２】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４３】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４４】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４５】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４６】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４７】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することが
【００４８】
できる。
ところで、この実施形態ではＨＤＤ１２５に、初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００４９】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５０】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５１】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５２】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５３】
[リモコン操作による視聴者の特定方法]
本実施例では、初めてそのテレビを利用する視聴者に関しては、まずユーザー情報を登録する。そして、テレビにユーザーが新規登録された場合、そのユーザーのリモコン操作情報が一定量集まるまではリモコン操作後に図３のようなユーザーアイコンの一覧を表示する。
【００５４】
図３は、リモコン操作後のユーザー確認画面である。ＴＶ画面Ｔの中、向かって右下に４つのユーザーアイコンが並んでいる。ユーザーとアイコンの図柄とは直接の関係はないが、左から２番目のものは家族の中の母のアイコンＭをまたその右のものは兄のアイコンＢを表している。ＴＶ画面Ｔの下方にあるハッチングで示した部位は、リモコンに代わる操作手段が配置されている部分を表している。
【００５５】
ここでユーザーはアイコンを確認し、それぞれのアイコンに対応したボタンを押す事によって各ユーザーのリモコン操作情報が蓄積される。
また、ユーザーがチャンネルを切り替えてアイコンに対応したボタンを押したときは、更に５分以内にリモコン操作があったときは同一人物がチャンネル操作をしたと認識してリモコン操作情報を蓄積させる。
【００５６】
新規登録されたユーザーのリモコン操作情報が一定量蓄積された、又は新規登録されたユーザーのリモコン操作情報が一定期間与えられなかったときは画面右下のアイコン表示をやめる。
【００５７】
各ユーザーがテレビを視聴している際に、これまでのリモコン操作情報から点数を計算する。
計算された点数が最も１に近いユーザーを視聴者と特定し、現在視聴している番組に関連した（旅行番組であれば旅行に関連した）雑誌やホームページなどの情報を提供することができる。
【００５８】
ユーザーがリモコン操作をすることによって個人の特徴を学習するアルゴリズムは以下の通りである。
１．テレビがユーザーのリモコン操作から学習する項目は、ボタンを押す強さ、ボタンを押す長さ、ザッピングの頻度、チャンネル切り替えの早さ（何秒以内に切り替えるか）などである（図４参照）。
【００５９】
２．リモコン操作が行われたときには、各項目について点数を計算し、全ての項目の平均値が最も1に近い値を示していたユーザーを視聴者と特定する。
例えば、『ボタンを押す長さ：0.6[sec]』、『ボタンを押す強さ：0.1』、『ザッピングの頻度：15.4』、『チャンネル切り替えの早さ：8.3』のときは図５のような結果となる。
【００６０】
計算式は『リモコン操作情報で記録されている各ユーザーのリモコン操作データ』／『現在の視聴者のリモコン操作データ』である。
[視聴割合による視聴者の特定方法]
本実施例では、ユーザーは録画の際にユーザー情報（誰が録画したか）を指定するなどの方法で、各ユーザーの視聴割合の情報を収集する。
各ユーザーがテレビを視聴している際に、テレビは現在視聴している番組と視聴割合の情報を比較して、何パーセントの確率でユーザーを特定できるか計算する。
現在視聴している番組と視聴割合の情報を比較する要素はジャンルと出演者の情報である。
テレビで図６のようなジャンルと出演者の視聴割合の情報を保持しておき、例えばジャンルがスポーツでＣさんが出演していた番組を視聴しているときの視聴予想確率は図７のようになる。
【００６１】
ここで算出された値は『ジャンルの視聴割合の確率』と『出演者の視聴割合の確率』の平均値である。
視聴予想確率が最も高いユーザーを視聴者と特定し、現在視聴している番組に関連した（旅行番組であれば旅行に関連した）雑誌やホームページなどの情報を提供することができる。
【００６２】
上記の２方法で確実にユーザーを特定することができない場合は、カメラや各ユーザーが視聴する時間帯などの方法と併用してユーザーを特定してもよい。
リモコン操作（ボタンを押す強さ、長さ、ザッピング頻度等）、視聴内容（番組ジャンル、出演者など）から視聴者を判定して視聴者が興味を示すと予想される関連情報を提供する。あるいは、各ユーザーがテレビを視聴している際に、テレビは現在視聴している番組と視聴割合の情報を比較して、何パーセントの確率でユーザーを特定できるか計算する。特定されたユーザーへ現在視聴している番組に関連した（旅行番組であれば旅行に関連した）雑誌やホームページなどの情報を提供することができる。
【００６３】
図８は、表示例である。旅行番組の画面３１１に旅行に関連した雑誌情報３１２が表示されている。
【図面の簡単な説明】
【００６４】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】リモコン操作後のユーザー確認画面を説明するための図。
【図４】リモコン操作情報評価例を説明するための図。
【図５】リモコン操作情報から計算された点数を示す図。
【図６】ユーザの視聴割合の情報を説明するための図。
【図７】現在視聴している番組の視聴予想確率提示例を示す図。
【図８】本発明の一実施形態に係る放送受信装置における番組関連情報表示画面の一例を示す説明図。
【符号の説明】
【００６５】
１１１…デジタルテレビジョン放送受信装置、１１２…キャビネット、１１３…支持台
、１１４…映像表示器、１１５…スピーカ、１１６…操作部、１１７…リモートコントロ
ーラ、１１８…受光部、１１９…第１のメモリカード、１２０…第２のメモリカード、１
２１…第１のＬＡＮ端子、１２２…第２のＬＡＮ端子、１２３…ＵＳＢ端子、１２４…ｉ
．ＬＩＮＫ端子、１２５，１２７，１３９…ＨＤＤ、１２６，１３５…ハブ、１２８，１
３３…コンテンツサーバ、１２９…ＤＶＤレコーダ、１３０…アナログ伝送路、１３１…
ブロードバンドルータ、１３２…ネットワーク、１３４，１３６…携帯電話、１３７…デ
ジタルカメラ、１３８…カードリーダ／ライタ、１４０…キーボード、１４１…ＡＶ−Ｈ
ＤＤ、１４２…Ｄ−ＶＨＳ。
【図１】
2008277995.tif 000003
【図２】
2008277995.tif 000004
【図３】
2008277995.tif 000005
【図４】
2008277995.tif 000006
【図５】
2008277995.tif 000007
【図６】
2008277995.tif 000008
【図７】
2008277995.tif 000009
【図８】
2008277995.tif 000010